(57)【要約】      （修正有）【課題】３Ｄ特性（クロストーク）の劣化を低減することの可能な光学積層体およびその製造方法、ならびにそのような光学積層体を備えた表示装置を提供する。【解決手段】液晶表示パネルの光射出側の表面に位相差素子３０が設けられている。液晶表示パネルの光射出側の表面には偏光板２１Ｂが設けられている。位相差素子３０には、粘着層４０Ａを介して偏光板２１Ｂに接する位相差層３１と、アンチグレアフィルム３２とが設けられている。位相差層３１およびアンチグレアフィルム３２は粘着層４０Ａを介して互いに貼り合わされている。【選択図】図４
2012179878.tif 000002
【特許請求の範囲】
【請求項１】
遅相軸の向きが互いに異なる２種類以上の位相差領域を有する位相差層と、
前記位相差層の下面に接着層もしくは粘着層を介して接する偏光板と、
前記位相差層の上面に接着層もしくは粘着層を介して接する基材と、
前記基材のうち前記位相差層に非接触の面に直接接する反射防止層またはアンチグレア層と
を備えた
光学積層体。
【請求項２】
遅相軸の向きが互いに異なる２種類以上の位相差領域を有する位相差層と、
前記位相差層の下面に直接または接着層もしくは粘着層を介して接する偏光板と、
前記位相差層の上面に直接接する反射防止層またはアンチグレア層と
を備えた
光学積層体。
【請求項３】
映像信号に応じた映像を映像表示面に表示する表示パネルと、
前記映像表示面に接して設けられた位相差素子と
を備え、
前記位相差素子は、
遅相軸の向きが互いに異なる２種類以上の位相差領域を有する位相差層と、
前記位相差層の上面に接着層もしくは粘着層を介して接する基材と、
前記基材のうち前記位相差層に非接触の面に直接接する反射防止層またはアンチグレア層と
を有し、
前記表示パネルは、前記位相差層に接着層もしくは粘着層を介して接する偏光板を前記映像表示面に有する
表示装置。
【請求項４】
映像信号に応じた映像を映像表示面に表示する表示パネルと、
前記映像表示面に接して設けられた位相差素子と
を備え、
前記位相差素子は、
遅相軸の向きが互いに異なる２種類以上の位相差領域を有する位相差層と、
前記位相差層の上面に直接接する反射防止層またはアンチグレア層と
を有し、
前記表示パネルは、前記位相差層に直接または接着層もしくは粘着層を介して接する偏光板を前記映像表示面に有する
表示装置。
【請求項５】
表面に配向機能を有する配向基材と、前記配向基材の表面に形成されると共に遅相軸の向きが互いに異なる２種類以上の位相差領域を有する位相差層とを有する位相差フィルムと、支持基材の表面に反射防止層またはアンチグレア層を有する光学フィルムとを、前記位相差層および前記反射防止層または前記アンチグレア層が第１接着層もしくは第１粘着層を介して互いに接するように重ね合わせたのち、前記配向基材を剥離することにより第１積層体を形成する工程と、
前記第１積層体と、偏光板とを、前記位相差層が第２接着層もしくは第２粘着層を介して前記偏光板に接するように重ね合わせることにより光学積層体を形成する工程と
を含む
光学積層体の製造方法。
【請求項６】
表面に配向機能を有する配向基材と、前記配向基材の表面に形成されると共に遅相軸の向きが互いに異なる２種類以上の位相差領域を有する位相差層と、前記位相差層の表面に形成された反射防止層またはアンチグレア層とを有する光学フィルムと、支持フィルムとを、前記反射防止層または前記アンチグレア層および前記支持フィルムが第１接着層もしくは第１粘着層を介して互いに接するように重ね合わせたのち、前記配向基材を剥離することにより第１積層体を形成する工程と、
前記第１積層体と、偏光板とを、前記位相差層が第２接着層もしくは第２粘着層を介して前記偏光板に接するように重ね合わせたのち、前記支持フィルムを剥離することにより光学積層体を形成する工程と
を含む
光学積層体の製造方法。
【請求項７】
偏光板の表面に、配向膜と、遅相軸の向きが互いに異なる２種類以上の位相差領域を有する位相差層と、前記反射防止層または前記アンチグレア層とを前記偏光板側から順に積層する工程を含む
光学積層体の製造方法。
【発明の詳細な説明】
【技術分野】
【０００１】
本発明は、光の偏光状態を変化させる位相差層を含む光学積層体およびその製造方法に関する。さらに、本発明は、上述の光学積層体を備えた表示装置に関する。
【背景技術】
【０００２】
従来から、偏光眼鏡を用いるタイプの立体映像表示装置として、左目用画素と右目用画素とで異なる偏光状態の光を射出させるものがある。このような表示装置では、視聴者が偏光眼鏡をかけた上で、左目用画素からの射出光を左目のみに入射させ、右目用画素からの射出光を右目のみに入射させることにより、立体映像の観察が可能である。
【０００３】
例えば、特許文献１，２では、左目用画素と右目用画素とで異なる偏光状態の光を射出させるために、部分的に液晶セルが形成された位相差素子や、遅相軸の互いに異なる複数種類の位相差材料が配置された位相差素子を設けることが提案されている。また、例えば、特許文献３では、パターニングされた光配向膜上に液晶を塗布し、重合させることにより形成された位相差素子を設けることが提案されている。
【先行技術文献】
【特許文献】
【０００４】
【特許文献１】米国特許第５６７６９７５号明細書
【特許文献２】米国特許第５３２７２８５号明細書
【特許文献３】米国特許第３８８１７０６号明細書
【発明の概要】
【発明が解決しようとする課題】
【０００５】
ところで、上記の位相差素子は、立体映像表示装置の映像表示面に配置される。そのため、位相差素子が厚い場合に、視聴者が斜め方向から映像表示面を眺めたときには、表示パネル内の液晶セルと位相差素子との位置ずれが発生し、３Ｄ特性（クロストーク）が劣化する可能性がある。また、位相差素子の上には、映像品質を改善する際に、必要に応じて、アンチグレアフィルムや反射防止フィルムが設けられる。しかし、位相差素子が厚いと、位相差素子の上にアンチグレアフィルムや反射防止フィルムを設けることにより、逆に、３Ｄ特性（クロストーク）が顕著に劣化する場合がある。
【０００６】
本発明はかかる問題点に鑑みてなされたもので、その第１の目的は、３Ｄ特性（クロストーク）の劣化を低減することの可能な光学積層体およびその製造方法を提供することにある。第２の目的は、そのような光学積層体を備えた表示装置を提供することにある。
【課題を解決するための手段】
【０００７】
本発明の第１の光学積層体は、遅相軸の向きが互いに異なる２種類以上の位相差領域を有する位相差層を備えたものである。この光学積層体は、さらに、位相差層の下面に接着層もしくは粘着層を介して接する偏光板と、位相差層の上面に接着層もしくは粘着層を介して接する基材と、基材のうち位相差層に非接触の面に直接接する反射防止層またはアンチグレア層とを備えている。
【０００８】
本発明の第１の表示装置は、映像信号に応じた映像を映像表示面に表示する表示パネルと、映像表示面に接して設けられた位相差素子とを備えたものである。位相差素子は、遅相軸の向きが互いに異なる２種類以上の位相差領域を有する位相差層と、位相差層の上面に接着層もしくは粘着層を介して接する基材と、基材のうち位相差層に非接触の面に直接接する反射防止層またはアンチグレア層とを有している。表示パネルは、位相差層に接着層もしくは粘着層を介して接する偏光板を映像表示面に有している。
【０００９】
本発明の第１の光学積層体および第１の表示装置では、位相差層を支持する基材として偏光板または、反射防止層またはアンチグレア層を支持する基材が用いられている。これにより、位相差層を支持する基材を別個に設けた場合と比べて、光学積層体が薄くなっている。
【００１０】
本発明の第２の光学積層体は、遅相軸の向きが互いに異なる２種類以上の位相差領域を有する位相差層を備えたものである。この光学積層体は、さらに、位相差層の下面に直接または接着層もしくは粘着層を介して接する偏光板と、位相差層の上面に直接接する反射防止層またはアンチグレア層とを備えている。
【００１１】
本発明の第２の表示装置は、映像信号に応じた映像を映像表示面に表示する表示パネルと、映像表示面に接して設けられた位相差素子とを備えたものである。位相差素子は、遅相軸の向きが互いに異なる２種類以上の位相差領域を有する位相差層と、位相差層の上面に直接接する反射防止層またはアンチグレア層とを有している。表示パネルは、位相差層に直接または接着層もしくは粘着層を介して接する偏光板を映像表示面に有している。
【００１２】
本発明の第２の光学積層体および第２の表示装置では、位相差層および反射防止層またはアンチグレア層を支持する基材として偏光板が用いられている。位相差層を支持する基材を別個に設けた場合と比べて、光学積層体が薄くなっている。これにより、位相差層および反射防止層またはアンチグレア層を支持する基材をそれぞれ別個に設けた場合と比べて、光学積層体が薄くなっている。
【００１３】
本発明の第１の光学積層体の製造方法は、以下の２つの工程を含むものである。
（Ａ１）表面に配向機能を有する配向基材と、配向基材の表面に形成されると共に遅相軸の向きが互いに異なる２種類以上の位相差領域を有する位相差層とを有する位相差フィルムと、支持基材の表面に反射防止層またはアンチグレア層を有する光学フィルムとを、位相差層および反射防止層またはアンチグレア層が第１接着層もしくは第１粘着層を介して互いに接するように重ね合わせたのち、配向基材を剥離することにより第１積層体を形成する工程
（Ａ２）第１積層体と、偏光板とを、位相差層が第２接着層もしくは第２粘着層を介して偏光板に接するように重ね合わせることにより光学積層体を形成する工程
【００１４】
本発明の第１の光学積層体の製造方法では、配向基材が途中で剥離される。これにより、配向基材が剥離されていない場合と比べて、光学積層体が薄くなっている。
【００１５】
本発明の第２の光学積層体の製造方法は、以下の２つの工程を含むものである。
（Ｂ１）表面に配向機能を有する配向基材と、配向基材の表面に形成されると共に遅相軸の向きが互いに異なる２種類以上の位相差領域を有する位相差層と、位相差層の表面に形成された反射防止層またはアンチグレア層とを有する光学フィルムと、支持フィルムとを、反射防止層またはアンチグレア層および支持フィルムが第１接着層もしくは第１粘着層を介して互いに接するように重ね合わせたのち、配向基材を剥離することにより第１積層体を形成する工程
（Ｂ２）第１積層体と、偏光板とを、位相差層が第２接着層もしくは第２粘着層を介して偏光板に接するように重ね合わせたのち、支持フィルムを剥離することにより光学積層体を形成する工程
【００１６】
本発明の第２の光学積層体の製造方法では、配向基材が途中で剥離される。これにより、配向基材が剥離されていない場合と比べて、光学積層体が薄くなっている。さらに、本発明では、反射防止層またはアンチグレア層を支持する基材として、位相差層を支持する基材が兼用されている。これにより、反射防止層またはアンチグレア層を支持する基材を別個に設けた場合と比べて、光学積層体が薄くなっている。
【００１７】
本発明の第３の光学積層体の製造方法は、以下の工程を含むものである。
（Ｃ１）偏光板の表面に、配向膜と、遅相軸の向きが互いに異なる２種類以上の位相差領域を有する位相差層と、反射防止層またはアンチグレア層とを偏光板側から順に積層する工程
【００１８】
本発明の第３の光学積層体の製造方法では、位相差層と、反射防止層またはアンチグレア層とを支持する基材として、偏光板が用いられている。これにより、位相差層および反射防止層またはアンチグレア層を支持する基材をそれぞれ別個に設けた場合と比べて、光学積層体が薄くなっている。
【発明の効果】
【００１９】
本発明の第１の光学積層体および第１の表示装置、第２の光学積層体および第２の表示装置、第１の光学積層体の製造方法、第２の光学積層体の製造方法、および第３の光学積層体の製造方法によれば、基材を剥離したり、兼用したりすることにより、光学積層体を薄くしたので、３Ｄ特性（クロストーク）の劣化を低減することができる。
【図面の簡単な説明】
【００２０】
【図１】本発明の一実施の形態に係る表示装置の構成の一例を偏光眼鏡と共に表す斜視図である。
【図２】図１の表示装置の内部構成の一例を偏光眼鏡と共に表す図である。
【図３】図２の液晶表示パネルの構成の一例を表す断面図である。
【図４】図２の位相差素子の構成の一例を偏光板と共に表す断面図である。
【図５】図４の右目用位相差領域および左目用位相差領域の遅相軸の一例を他の光学部材の遅相軸または透過軸と共に表す概念図である。
【図６】図１の偏光眼鏡の右目用光学素子および左目用光学素子の構成の一例を表す斜視図である。
【図７】図１の表示装置の映像を右目で観察する際の遅相軸および透過軸の一例について説明するための概念図である。
【図８】図１の表示装置の映像を右目で観察する際の遅相軸および透過軸の他の例について説明するための概念図である。
【図９】図１の表示装置の映像を左目で観察する際の遅相軸および透過軸の一例について説明するための概念図である。
【図１０】図１の表示装置の映像を左目で観察する際の遅相軸および透過軸の他の例について説明するための概念図である。
【図１１】図４の光学積層体の製造方法の一例について説明するための断面図である。
【図１２】図１１に続く工程について説明するための模式図である。
【図１３】図４の光学積層体の構成の第１変形例を表す断面図である。
【図１４】図４の光学積層体の構成の第２変形例を表す断面図である。
【図１５】図４の光学積層体の構成の第３変形例を表す断面図である。
【図１６】図１４、図１５の光学積層体の製造方法の一例について説明するための断面図である。
【図１７】図１６に続く工程について説明するための模式図である。
【図１８】図１７に続く工程について説明するための模式図である。
【図１９】図４の光学積層体の構成の第４変形例を表す断面図である。
【図２０】図４の光学積層体の構成の第５変形例を表す断面図である。
【図２１】図１９、図２０の配向膜置の構成の一例を示す斜視図である。
【図２２】図１９、図２０の光学積層体の製造方法の一例について説明するための断面図である。
【図２３】図１の表示装置の内部構成の他の例を偏光眼鏡と共に表す斜視図である。
【図２４】図２３の液晶表示パネルの構成の一例を表す断面図である。
【発明を実施するための形態】
【００２１】
以下、発明を実施するための形態について、図面を参照して詳細に説明する。なお、説明は以下の順序で行う。
１．実施の形態
液晶表示パネルが透過型となっている例
位相差層の上下面に接着層または粘着層が設けられている例
２．変形例
位相差層の上面に接着層または粘着層が設けられている例
位相差層の上下面に接着層または粘着層が設けられていない例
液晶表示パネルが反射型となっている例
【００２２】
＜１．実施の形態＞
[表示装置１の構成]
図１は、本発明の一実施の形態に係る表示装置１を、後述する偏光眼鏡２とともに斜視的に表したものである。図２は、図１の表示装置１の断面構成の一例を偏光眼鏡２とともに表したものである。表示装置１は、偏光眼鏡２を眼球の前に装着した観察者（図示せず）に対して立体映像を表示する偏光眼鏡方式の表示装置である。この表示装置１は、例えば、図２に示したように、バックライトユニット１０、液晶表示パネル２０および位相差素子３０をこの順に積層して構成されたものである。この表示装置１において、位相差素子３０の表面が映像表示面１Ａとなっており、観察者側に向けられている。
【００２３】
なお、本実施の形態では、映像表示面１Ａが垂直面（鉛直面）と平行となるように表示装置１が配置されている。映像表示面１Ａは、例えば長方形状となっており、映像表示面１Ａの長手方向が、例えば水平方向（図中のｙ軸方向）と平行となっている。観察者は偏光眼鏡２を眼球の前に装着した上で、映像表示面１Ａを観察するものとする。偏光眼鏡２は円偏光タイプであり、表示装置１は円偏光眼鏡用の表示装置である。
【００２４】
（バックライトユニット１０）
バックライトユニット１０は、例えば、反射板、光源および光学シート（いずれも図示せず）を有している。反射板は、光源からの射出光を光学シート側に戻すものであり、反射、散乱、拡散などの機能を有している。この反射板は、例えば、発泡ＰＥＴ（ポリエチレンテレフタレート）などによって構成されている。これにより、光源からの射出光を効率的に利用することができる。光源は、液晶表示パネル２０を背後から照明するものであり、例えば、複数の線状光源が等間隔で並列配置されたり、複数の点状光源が２次元配列されたりしたものである。なお、線状光源としては、例えば、熱陰極管(ＨＣＦＬ；Hot Cathode Fluorescent Lamp)、冷陰極管（ＣＣＦＬ；Cold Cathode Fluorescent Lamp）などが挙げられる。また、点状光源としては、例えば、発光ダイオード（ＬＥＤ；Light Emitting Diode）などが挙げられる。光学シートは、光源からの光の面内輝度分布を均一化したり、光源からの光の発散角や偏光状態を所望の範囲内に調整したりするものであり、例えば、拡散板、拡散シート、プリズムシート、反射型偏光素子、位相差板などを含んで構成されている。また、光源は、エッジライト方式のものでもよく、その場合には、必要に応じて導光板や導光フィルムが用いられる。
【００２５】
（液晶表示パネル２０）
液晶表示パネル２０は、複数の画素が行方向および列方向に２次元配列された透過型の表示パネルであり、映像信号に応じて各画素を駆動することによって画像を表示するものである。この液晶表示パネル２０は、例えば、図２，図３に示したように、バックライトユニット１側から順に、偏光板２１Ａ、透明基板２２、画素電極２３、配向膜２４、液晶層２５、配向膜２６、共通電極２７、カラーフィルタ２８、透明基板２９および偏光板２１Ｂを有している。
【００２６】
ここで、偏光板２１Ａは、液晶表示パネル２０の光入射側に配置された偏光板であり、偏光板２１Ｂは液晶表示パネル２０の光射出側に配置された偏光板である。偏光板２１Ａ，３１Ｂは、光学シャッターの一種であり、ある一定の振動方向の光（偏光）のみを通過させる。偏光板２１Ａ，２１Ｂはそれぞれ、例えば、偏光軸が互いに所定の角度だけ（例えば９０度）異なるように配置されており、これによりバックライトユニット１０からの射出光が液晶層を介して透過し、あるいは遮断されるようになっている。なお、偏光板は、板状に限定されない。
【００２７】
偏光板２１Ａの透過軸の向きは、バックライトユニット１０から射出された光を透過可能な範囲内に設定される。例えば、バックライトユニット１０から射出される光の偏光軸が垂直方向となっている場合には、偏光板２１Ａの透過軸も垂直方向を向いており、バックライトユニット１０から射出される光の偏光軸が水平方向となっている場合には、偏光板２１Ａの透過軸も水平方向を向いている。なお、バックライトユニット１０から射出される光は直線偏光光である場合に限られるものではなく、円偏光や、楕円偏光、無偏光であってもよい。
【００２８】
偏光板２１Ｂの偏光軸の向きは、液晶表示パネル２０を透過した光を透過可能な範囲内に設定される。例えば、偏光板２１Ａの偏光軸の向きが水平方向となっている場合には、偏光板２１Ｂの偏光軸は偏光板２１Ａの偏光軸と直交する方向（垂直方向）を向いている。また、例えば、偏光板２１Ａの偏光軸の向きが垂直方向となっている場合には、偏光板２１Ｂの偏光軸は偏光板２１Ａの偏光軸と直交する方向（水平方向）を向いている。なお、上記の偏光軸と、上記の透過軸とは互いに同義である。
【００２９】
透明基板２２，２９は、一般に、可視光に対して透明な基板である。なお、バックライトユニット１０側の透明基板２２には、例えば、画素電極２３に電気的に接続された駆動素子としてのＴＦＴ（Thin Film Transistor；薄膜トランジスタ）および配線などを含むアクティブ型の駆動回路が形成されている。画素電極２３は、例えば酸化インジウムスズ（ＩＴＯ；Indium Tin Oxide）からなり、画素ごとの電極として機能する。配向膜２４，２６は、例えばポリイミドなどの高分子材料からなり、液晶に対して配向処理を行う。液晶層２５は、例えばＶＡ（Vertical Alignment）モード、ＩＰＳ（In-Plane Switching）モード、ＴＮ（Twisted Nematic）モードまたはＳＴＮ（Super Twisted Nematic）モードの液晶からなる。液晶層２５は、図示しない駆動回路からの印加電圧により、バックライトユニット１０からの射出光を画素ごとに透過または遮断する機能を有している。共通電極２７は、例えばＩＴＯからなり、各画素電極２３に対する共通の対向電極として機能する。カラーフィルタ２８は、バックライトユニット１０からの射出光を、例えば、赤（Ｒ）、緑（Ｇ）および青（Ｂ）の三原色にそれぞれ色分離するためのフィルタ部２８Ａを配列して形成されている。このカラーフィルタ２８では、画素間の境界に対応する部分に、遮光機能を有するブラックマトリクス部２８Ｂが設けられている。
【００３０】
（位相差素子３０）
次に、位相差素子３０について説明する。図４（Ａ）は、位相差素子３０の断面構成の一例を表したものである。位相差素子３０は、液晶表示パネル２０の光射出側の表面（偏光板２１Ｂ）に粘着層４０Ａを介して貼り付けられている。位相差素子３０は、液晶表示パネル２０の光射出側の表面（偏光板２１Ｂ）に、粘着層４０Ａの代わりに接着層（図示せず）を介して貼り付けられていてもよい。なお、粘着層４０Ａは、文字通り粘着性を有するものであり、例えば、糊からなる。上記の接着層は、偏光板２１Ｂと位相差素子３０とを互いに接合した状態で固化したものであり、例えば、接着剤を乾燥させたものからなる。
【００３１】
偏光板２１Ｂは、実際には、例えば、図４（Ａ）に示したように、透明基板２９の表面に粘着層２０Ａを介して貼り付けられている。図４（Ａ）には、位相差素子３０と、偏光板２１Ｂとが粘着層２０Ａを介して互いに貼り合わされたものに対して光学積層体４０という名称が付されている。この光学積層体４０は、透明基板２９の表面に貼り合わされた種々の光学部材の積層体を指しており、この光学積層体４０の厚さが表示装置１の３Ｄ特性（クロストーク）を規制するパラメータの１つとなっている。なお、クロストークとは、以下に示した式で定義されるものである。
【００３２】
左目用画像光のクロストーク＝（左目用画像光を、偏光眼鏡２の右目用光学素子４１（後述）を介して見たときの輝度）／（左目用画像光を、偏光眼鏡２の左目用光学素子４２（後述）を介して見たときの輝度）…（１）
右目用画像光のクロストーク＝（右目用画像光を、偏光眼鏡２の左目用光学素子４２を介して見たときの輝度）／（右目用画像光を、偏光眼鏡２の右目用光学素子４１を介して見たときの輝度）…（２）
【００３３】
偏光板２１Ｂは、透明基板２９の表面に、粘着層２０Ａの代わりに接着層（図示せず）を介して貼り付けられていてもよい。粘着層２０Ａは、文字通り粘着性を有するものであり、例えば、糊からなる。上記の接着層は、透明基板２９と偏光板２１Ｂとを互いに接合した状態で固化したものであり、例えば、接着剤を乾燥させたものからなる。
【００３４】
位相差素子３０は、液晶表示パネル２０の偏光板２１Ｂを透過した光の偏光状態を変化させるものである。位相差素子３０は、例えば、図４（Ａ）に示したように、液晶表示パネル２０側から順に、位相差層３１、粘着層３０Ａおよびアンチグレアフィルム３２を積層したものである。粘着層３０Ａは、位相差層３１およびアンチグレアフィルム３２の双方に互いに接している。位相差素子３０は、粘着層３０Ａの代わりに、接着層（図示せず）を有していてもよい。なお、粘着層３０Ａは、文字通り粘着性を有するものであり、例えば、糊からなる。上記の接着層は、位相差層３１とアンチグレアフィルム３２とを互いに接合した状態で固化したものであり、例えば、接着剤を乾燥させたものからなる。
【００３５】
位相差層３１は、光学異方性を有する薄い層である。この位相差層３１は、例えば、図４（Ｂ）に示したように、遅相軸の向きが互いに異なる２種類の位相差領域（右目用位相差領域３１Ａ，左目用位相差領域３１Ｂ）を有している。右目用位相差領域３１Ａおよび左目用位相差領域３１Ｂは、共通する一の方向（水平方向）に延在する帯状の形状となっており、右目用位相差領域３１Ａおよび左目用位相差領域３１Ｂの短手方向（垂直方向）に交互に配置されている。
【００３６】
右目用位相差領域３１Ａは、例えば、図４、図５（Ａ），（Ｂ）に示したように、偏光板２１Ｂの偏光軸ＡＸ３と４５°で交差する方向に遅相軸ＡＸ１を有している。一方、左目用位相差領域３１Ｂは、例えば、図４、図５（Ａ），（Ｂ）に示したように、偏光板２１Ｂの偏光軸ＡＸ３と４５°で交差する方向であって、かつ遅相軸ＡＸ１と直交する方向に遅相軸ＡＸ２を有している。遅相軸ＡＸ１，ＡＸ２はそれぞれ、例えば、図５（Ａ），（Ｂ）に示したように、偏光板２１Ｂの偏光軸ＡＸ３が垂直方向または水平方向を向いている場合には斜め４５°方向を向いている。また、図示しないが、偏光板２１Ｂの偏光軸ＡＸ３が斜め４５°方向を向いている場合には、遅相軸ＡＸ１が例えば水平方向に延在しており、遅相軸ＡＸ２が例えば垂直方向を向いている。
【００３７】
さらに、遅相軸ＡＸ１は、例えば、図５（Ａ），（Ｂ）に示したように、後述する偏光眼鏡２の右目用位相差板４１Ａの遅相軸ＡＸ４の向きと同一の方向を向いており、後述する偏光眼鏡２の左目用位相差板４２Ａの遅相軸ＡＸ５の向きと異なる方向を向いている。一方、遅相軸ＡＸ２は、例えば、図５（Ａ），（Ｂ）に示したように、遅相軸ＡＸ５の向きと同一の方向を向いており、遅相軸ＡＸ４の向きと異なる方向を向いている。
【００３８】
位相差層３１は、例えば、重合した高分子液晶材料を含んで構成されている。すなわち、位相差層３１では、液晶分子の配向状態が固定されている。高分子液晶材料としては、相転移温度（液晶相−等方相）、液晶材料の屈折率波長分散特性、粘性特性、プロセス温度などに応じて選定された材料が用いられる。ただし、高分子液晶材料は、重合基としてアクリロイル基あるいはメタアクリロイル基を有していることが、透明性の観点から好ましい。また、高分子液晶材料として、重合性官能基と液晶骨格との間にメチレンスペーサのない材料を用いることが好ましい。プロセス時の配向処理温度を低くすることができるためである。位相差層３１の厚みは、例えば、１μｍ〜２μｍである。なお、位相差層３１が、重合した高分子液晶材料を含んで構成されている場合に、位相差層３１が、重合した高分子液晶材料だけで構成されている必要はなく、その一部に未重合の液晶性モノマーを含んでいてもよい。位相差層３１に含まれる未重合の液晶性モノマーは、後述の配向処理（加熱処理）によって、その周囲に存在する液晶分子の配向方向と同様の方向に配向しており、高分子液晶材料の配向特性と同様の配向特性を有しているからである。
【００３９】
位相差層３１において、右目用位相差領域３１Ａおよび左目用位相差領域３１Ｂの構成材料や厚みを調整することにより、右目用位相差領域３１Ａおよび左目用位相差領域３１Ｂのリタデーション値が設定される。このリタデーション値は、粘着層２０Ａ，４０Ａ，３０Ａおよびアンチグレアフィルム３２が位相差を有する場合には、これらの位相差をも考慮して設定されることが好ましい。なお、本実施の形態では、右目用位相差領域３１Ａおよび左目用位相差領域３１Ｂは互いに同一の材料および厚みにより構成され、これにより、リタデーションの絶対値が互いに等しくなっている。
【００４０】
次に、アンチグレアフィルム３２について説明する。アンチグレアフィルム３２は、太陽光や室内照明などの外光が映り込むことによる視認性の悪化を低減するために、画面表面で外光を拡散反射させるものである。アンチグレアフィルム３２は、例えば、図４（Ａ）に示したように、基材３２Ａと、アンチグレア層３２Ｂとが位相差層３１側から順に積層されたものである。
【００４１】
なお、図示しないが、基材３２Ａおよびアンチグレア層３２Ｂは、位相差層３１とは反対側から順に積層されていてもよい。また、アンチグレアフィルム３２は、図４（Ａ）に示したような２層構造となっているものに限られるものではなく、例えば、上述のアンチグレア層３２Ｂが省略されるとともに、基材３２Ａの上面に凹凸（例えばエンボス）が設けられたものであってもよい。また、アンチグレアフィルム３２は、必要に応じて、ハードコート層を含んでいてもよい。
【００４２】
基材３２Ａは、例えば、光学異方性の小さい、つまり複屈折の小さいものが好ましい。そのような特性を持つ透明樹脂フィルムとしては、例えば、ＴＡＣ（トリアセチルセルロース）、ＣＯＰ（シクロオレフィンポリマー）、ＣＯＣ（シクロオレフィンコポリマー）、ＰＭＭＡ（ポリメチルメタクリレート）などが挙げられる。
【００４３】
アンチグレア層３２Ｂは、例えば、エネルギー硬化型の樹脂バインダーに、フィラーを分散させた混合液を基材３２Ａの表面に塗布し、それに対して熱や紫外線などのエネルギーを与えて硬化させたものである。アンチグレア層３２Ｂの上面には、例えば、フィラーなどによって凹凸が形成されている。なお、アンチグレア層３２Ｂの上面が、必ず凹凸形状となっている必要はない。
【００４４】
[偏光眼鏡２の構成] 
次に、図１、図２、図６を参照しつつ、偏光眼鏡２について説明する。偏光眼鏡２は、観察者（図示せず）の眼球の前に装着されるものであり、表示装置１の映像表示面１Ａに映し出される映像を観察する際に観察者によって用いられるものである。この偏光眼鏡２は、例えば、円偏光眼鏡であり、例えば、図１、図２に示したように、右目用光学素子４１、左目用光学素子４２、およびフレーム４３を有している。
【００４５】
フレーム４３は、右目用光学素子４１および左目用光学素子４２を支持するものである。フレーム４３の形状は、特に限られるものではないが、例えば、図１、図２に示したように、観察者（図示せず）の鼻および耳にひっかける形状となっていてもよいし、図示しないが、観察者の鼻にだけひっかける形状となっていてもよい。また、フレーム４３の形状は、例えば、図示しないが、観察者が手で握れる形状となっていてもよい。
【００４６】
右目用光学素子４１および左目用光学素子４２は、表示装置１の映像表示面１Ａと対向した状態で用いられる。右目用光学素子４１および左目用光学素子４２は、図１、図２に示したように、できるだけ一の水平面内に配置した状態で用いられることが好ましいが、多少傾いた平坦面内に配置した状態で用いられてもよい。
【００４７】
右目用光学素子４１は、例えば、図６に示したように、右目用位相差板４１Ａ、偏光板４１Ｂ、および支持体４１Ｃを有している。右目用位相差板４１Ａ、偏光板４１Ｂ、および支持体４１Ｃは、表示装置１の映像表示面１Ａから射出された光Ｌが入射する側（表示装置１側）から順に配置されている。一方、左目用光学素子４２は、例えば、図６に示したように、左目用位相差板４２Ａ、偏光板４２Ｂ、および支持体４２Ｃを有している。左目用位相差板４２Ａ、偏光板４２Ｂ、および支持体４２Ｃは、表示装置１の映像表示面１Ａから射出された光Ｌが入射する側（表示装置１側）から順に配置されている。
【００４８】
支持体４１Ｃ，４２Ｃは、必要に応じて省略することも可能である。また、右目用光学素子４１および左目用光学素子４２は、上で例示したもの以外の部材を有していてもよい。例えば、支持体４１Ｃ，４２Ｃの光射出側（観察者側）の面に、支持体４１Ｃ，４２Ｃが破損したときに破損片が観察者の眼球に飛散するのを防止する保護フィルム（図示せず）や保護のためのコーティング層（図示せず）が設けられていてもよい。
【００４９】
支持体４１Ｃは、例えば、右目用位相差板４１Ａおよび偏光板４１Ｂを支持するものである。支持体４１Ｃは、例えば、表示装置１の映像表示面１Ａから射出された光Ｌに対して透明な樹脂、例えば、ＰＣ（ポリカーボネート）などからなる。また、支持体４２Ｃは、例えば、左目用位相差板４２Ａおよび偏光板４２Ｂを支持するものである。支持体４２Ｃは、例えば、表示装置１の映像表示面１Ａから射出された光Ｌに対して透明な樹脂、例えば、ＰＣ（ポリカーボネート）などからなる。
【００５０】
偏光板４１Ｂ，４２Ｂは、ある一定の振動方向の光（偏光）のみを通過させるようになっている。例えば、図５（Ａ），（Ｂ）に示したように、偏光板４１Ｂ，４２Ｂの偏光軸ＡＸ６，ＡＸ７はそれぞれ、表示装置１の偏光板２１Ｂの偏光軸ＡＸ３と直交する方向を向いている。偏光軸ＡＸ６，ＡＸ７はそれぞれ、例えば、図５（Ａ）に示したように、偏光板２１Ｂの偏光軸ＡＸ３が垂直方向を向いている場合には水平方向を向いており、例えば、図５（Ｂ）に示したように、偏光板２１Ｂの偏光軸ＡＸ３が水平方向を向いている場合には垂直方向を向いている。また、図示しないが、偏光板２１Ｂの偏光軸ＡＸ３が斜め４５°方向を向いている場合には、偏光軸ＡＸ６，ＡＸ７は、それと直交する方向（−４５°）を向いている。
【００５１】
右目用位相差板４１Ａおよび左目用位相差板４２Ａは、光学異方性を有する薄い層またはフィルムである。これらの位相差フィルムとしては、光学異方性の小さい、つまり複屈折の小さいものが好ましい。そのような特性を持つ樹脂フィルムとしては、例えば、ＣＯＰ（シクロオレフィンポリマー）、ＰＣ（ポリカーボネート）などが挙げられる。ここで、ＣＯＰとしては、例えば、ゼオノアやゼオネックス（日本ゼオン（株）登録商標）、アートン（ＪＳＲ株式（株）登録商標）などがある。
【００５２】
右目用位相差板４１Ａの遅相軸ＡＸ４は、図５（Ａ），（Ｂ）に示したように、偏光軸ＡＸ６と４５°で交差する方向を向いている。また、左目用位相差板４２Ａの遅相軸ＡＸ５は、図５（Ａ），（Ｂ）に示したように、偏光軸ＡＸ７と４５°で交差する方向を向いており、かつ遅相軸ＡＸ４と直交する方向を向いている。遅相軸ＡＸ４，ＡＸ５はそれぞれ、例えば、図５（Ａ），（Ｂ）に示したように、偏光軸ＡＸ６，ＡＸ７が水平方向または垂直方向を向いている場合には、水平方向および垂直方向のいずれの方向とも交差する方向を向いている。また、図示しないが、偏光軸ＡＸ６，ＡＸ７が斜め４５°方向を向いている場合には、遅相軸ＡＸ４が例えば水平方向を向いており、遅相軸ＡＸ５が例えば垂直方向を向いている。
【００５３】
また、遅相軸ＡＸ４は、右目用位相差領域３１Ａの遅相軸ＡＸ１の向きと同一の方向を向いており、左目用位相差領域３１Ｂの遅相軸ＡＸ２の向きと異なる方向を向いている。一方、遅相軸ＡＸ５は、遅相軸ＡＸ２と同一の方向を向いており、遅相軸ＡＸ１の向きと異なる方向を向いている。
【００５４】
（リタデーション）
次に、図７（Ａ），（Ｂ）〜図１０（Ａ），（Ｂ）を参照して、偏光眼鏡２のリタデーションについて説明する。
【００５５】
図７（Ａ），（Ｂ）および図８（Ａ），（Ｂ）は、位相差層３１の右目用位相差領域３１Ａに入射した右目用画像光Ｌ１のみに着目し、偏光眼鏡２を介して、光Ｌ１が左右の目でどのように認識されるかを例示した概念図である。また、図９（Ａ），（Ｂ）および図１０（Ａ），（Ｂ）は、位相差層３１の右目用領域３１Ｂに入射した左目用画像光Ｌ２のみに着目し、偏光眼鏡２を介して、光Ｌ２が左右の目でどのように認識されるかを例示した概念図である。なお、実際には、右目用画像光Ｌ１および左目用画像光Ｌ２は、混在した状態で出力されるが、図７（Ａ），（Ｂ）〜図１０（Ａ），（Ｂ）では、説明の便宜上、右目用画像光Ｌ１と左目用画像光Ｌ２を別個に分けて記述した。
【００５６】
ところで、偏光眼鏡２を用いて表示装置１の映像表示面を観察した場合に、例えば、図７（Ａ），（Ｂ）、図８（Ａ），（Ｂ）に示したように、右目には右目用画素の画像が認識でき、左目には右目用画素の画像が認識できないようにすることが必要である。また、同時に、例えば、図９（Ａ），（Ｂ）、図１０（Ａ），（Ｂ）に示したように、左目には左目用画素の画像が認識でき、右目には左目用画素の画像が認識できないようにすることが必要である。そのためには、以下に示したように、右目用位相差領域３１Ａおよび右目用位相差板４１Ａのリタデーションならびに左目用位相差領域３１Ｂおよび左目用位相差板４２Ａのリタデーションを設定することが好ましい。
【００５７】
具体的には、右目用位相差板４１Ａおよび左目用位相差板４２Ａのリタデーションのうち一方が＋λ／４（λは波長）となっており、他方が−λ／４となっていることが好ましい。ここで、リタデーションの符号が逆になっているのは、それぞれの遅相軸の向きが９０°異なることを示している。このとき、右目用位相差領域３１Ａのリタデーションは右目用位相差板４１Ａのリタデーションと同一となっていることが好ましく、左目用位相差領域３１Ｂのリタデーションは左目用位相差板４２Ａのリタデーションと同一となっていることが好ましい。
【００５８】
［表示装置１の製造方法］
次に、図１１，図１２を参照しつつ、位相差素子３０および光学積層体４０の製造方法の一例について説明する。なお、図１１は、位相差素子３０の製造過程の一例を表したものである。図１２は、光学積層体４０の製造過程の一例を表したものである。
【００５９】
まず、表面に配向機能を有する配向基材を製造する。例えば、溝の延在方向が互いに異なる２種類の溝領域が表面に形成された原盤を用意する。次に、この原盤の表面に、例えばＵＶ硬化アクリル樹脂液を含むＵＶ硬化樹脂層を配置したのち、ＵＶ硬化樹脂層を、例えばＴＡＣからなる基材フィルムで封止する。次に、ＵＶ硬化樹脂層に紫外線を照射して、ＵＶ硬化樹脂層を硬化させたのち、原盤を剥離する。このようにして、配向基材が形成される。なお、基材フィルムの表面に光配向膜を形成することにより、配向基材が形成されてもよい。
【００６０】
次に、位相差フィルム１１０を製造する。まず、上記のようにして形成した配向基材（以下、配向基材１００と称する）の表面に、液晶性モノマーを含む液晶層を、例えばロールコータなどでコーティングして形成する。このとき、液晶層には、必要に応じて、液晶性モノマーを溶解させるための溶媒、重合開始剤、重合禁止剤、界面活性剤、レベリング剤などを用いることができる。
【００６１】
続いて、配向基材上の液晶層の液晶性モノマーの配向処理（加熱処理）を行う。この加熱処理は、液晶性モノマーの相転移温度以上であって、特に溶媒を用いた場合には、この溶媒が乾燥する温度以上の温度で行うようにする。ここで、前工程における液晶性モノマーのコーティングによって、液晶性モノマーと配向基材との界面にずり応力が働き、流れによる配向（流動配向）や力による配向（外力配向）が生じ、液晶分子が意図しない方向に配向してしまうことがある。上記加熱処理は、このような意図しない方向に配向してしまった液晶性モノマーの配向状態を一旦キャンセルするために行われる。これにより、液晶層では、溶媒が乾燥して液晶性モノマーのみとなり、その状態は等方相となる。
【００６２】
この後、液晶層を相転移温度よりも少し低い温度まで徐冷する。これにより、液晶性モノマーは、配向基材の配向規制力によって配向する。例えば、液晶性モノマーが配向基材の表面の微細溝の延在方向に沿って配向する。続いて、配向処理後の液晶層に対して、例えばＵＶ光を照射することにより、液晶性モノマーを重合させる。これにより、液晶分子の配向状態が固定され、右目用位相差領域３１Ａおよび左目用位相差領域３１Ｂが形成される。以上により、位相差フィルム１１０が完成する（図１１（Ａ）参照）。
【００６３】
次に、位相差素子３０を製造する。まず、位相差フィルム１１０と、基材３２Ａの表面にアンチグレア層３２Ｂを有するアンチグレアフィルム３２とを、位相差層３１およびアンチグレア層３２Ｂが粘着層３０Ａを介して互いに接するように重ね合わせる（図１１（Ａ），（Ｂ））。なお、粘着層３０Ａは、アンチグレアフィルム３２側に設けられていてもよいし、位相差フィルム１１０側に設けられていてもよい。その後、配向基材１００を剥離する（図１１（Ｃ））。これにより、位相差素子３０が完成する。
【００６４】
次に、光学積層体４０を製造する。具体的には、位相差素子３０と、偏光板２１Ｂとを、位相差層３１と偏光板２１Ｂとが粘着層４０Ａを介して互いに接するように重ね合わせる（図１２（Ａ），（Ｂ））。なお、粘着層４０Ａは、位相差層３１側に設けられていてもよいし、偏光板２１Ｂ側に設けられていてもよい。これにより、光学積層体４０が完成する。
【００６５】
最後に、光学積層体４０と、透明基板２９とを、偏光板２１Ｂおよび透明基板２９が粘着層２０Ａを介して互いに接するように重ね合わせる（図１２（Ｃ），（Ｄ））。なお、粘着層２０Ａは、偏光板２１Ｂ側に設けられていてもよいし、透明基板２９側に設けられていてもよい。このようにして、液晶表示パネル２０および位相差素子３０の積層体が完成する。
【００６６】
[基本動作] 
次に、本実施の形態の表示装置１において画像を表示する際の基本動作の一例について、図７（Ａ），（Ｂ）〜図１０（Ａ），（Ｂ）を参照しつつ説明する。
【００６７】
まず、バックライト１０から照射された光が液晶表示パネル２０に入射している状態で、映像信号として右目用画像および左目用画像を含む視差信号が液晶表示パネル２０に入力される。すると、奇数行の画素から右目用画像光Ｌ１が出力され（図７（Ａ），（Ｂ）または図８（Ａ），（Ｂ））、偶数行の画素から左目用画像光Ｌ２が出力される（図９（Ａ），（Ｂ）または図１０（Ａ），（Ｂ））。
【００６８】
その後、右目用画像光Ｌ１および左目用画像光Ｌ２は、位相差素子３０の右目用位相差領域３１Ａおよび左目用位相差領域３１Ｂによって楕円偏光に変換されたのち、表示装置１の映像表示面１Ａから外部に出力される。その後、表示装置１の外部に出力された光は、偏光眼鏡２に入射し、右目用位相差板４１Ａおよび左目用位相差板４２Ａによって楕円偏光から直線偏光に戻されたのち、偏光板４１Ｂ，４２Ｂに入射する。
【００６９】
このとき、偏光板４１Ｂ，４２Ｂへの入射光のうち右目用画像光Ｌ１に対応する光の偏光軸は、偏光板４１Ｂの偏光軸ＡＸ６と平行となっており、偏光板４２Ｂの偏光軸ＡＸ７と直交している。従って、偏光板４１Ｂ，４２Ｂへの入射光のうち右目用画像光Ｌ１に対応する光は、偏光板４１Ｂだけを透過して、観察者の右目に到達する（図７（Ａ），（Ｂ）または図８（Ａ），（Ｂ））。
【００７０】
一方、偏光板４１Ｂ，４２Ｂへの入射光のうち左目用画像光Ｌ２に対応する光の偏光軸は、偏光板４１Ｂの偏光軸ＡＸ６と直交しており、偏光板４２Ｂの偏光軸ＡＸ７と平行となっている。従って、偏光板４１Ｂ，４２Ｂへの入射光のうち左目用画像光Ｌ２に対応する光は、偏光板４２Ｂだけを透過して、観察者の左目に到達する（図９（Ａ），（Ｂ）または図１０（Ａ），（Ｂ））。
【００７１】
このようにして、右目用画像光Ｌ１に対応する光が観察者の右目に到達し、左目用画像光Ｌ２に対応する光が観察者の左目に到達した結果、観察者は表示装置１の映像表示面１Ａに立体画像が表示されているかのように認識することができる。
【００７２】
[効果] 
次に、本実施の形態の表示装置１の効果について説明する。本実施の形態では、位相差層３１を支持する基材として偏光板２１Ｂ、またはアンチグレア層３２Ｂを支持する基材３２Ａが用いられている。これにより、位相差層３１を支持する基材を別個に設けた場合と比べて、光学積層体４０が薄くなっている。位相差層３１を支持する基材が設けられていないのは、製造過程で、位相差層３１を支持する基材（配向基材１００）を剥離したからである。また、位相差層３１を支持する基材が別個に設けられていないのは、配向基材１００を剥離した際に、アンチグレア層３２Ｂを支持する基材３２Ａが位相差層３１を支持する基材として機能するからである。本実施の形態では、以上のようにして、光学積層体を薄くしているので、３Ｄ特性（クロストーク）の劣化を低減することができる。
【００７３】
また、本実施の形態では、位相差素子３０を製造する過程で配向基材１００が剥離される。従って、一旦、配向基材１００を製造した後は、位相差素子３０を製造する際に、配向基材１００を繰り返し使用することが可能となる。これにより、配向基材１００を逐一製造する場合と比べて、表示装置１の製造時間および製造コストを低減することができる。
【００７４】
＜２．変形例＞
［第１変形例］
上記実施の形態において、例えば、図１３に示したように、アンチグレア層３２Ｂの代わりに、表面反射を軽減し、透過率を増加させる反射防止層３２Ｃが設けられ、アンチグレアフィルム３２の代わりに、反射防止フィルム３３が設けられていてもよい。
【００７５】
［第２変形例］
また、上記実施の形態およびその変形例において、例えば、図１４，図１５に示したように、基材３２Ａおよび粘着層３０Ａが省略され、位相差層３１とアンチグレア層３２Ｂまたは反射防止層３２Ｃとが互いに接していてもよい。このようにした場合には、基材３２Ａおよび粘着層３０Ａに存在する位相差の影響が全く無いので、３Ｄ特性（クロストーク）の劣化をより一層低減することができる。
【００７６】
ところで、基材３２Ａおよび粘着層３０Ａを省略するためには、上記実施の形態に記載した製造方法とは異なる方法を採ることが必要となる。そこで、以下に、基材３２Ａおよび粘着層３０Ａを省略するときの製造方法の一例について説明する。
【００７７】
まず、上記実施の形態と同様にして、位相差フィルム１１０を製造する。次に、位相差フィルム１１０上に、アンチグレア層３２Ｂまたは反射防止層３２Ｃを形成する（図１６（Ａ）参照）。続いて、位相差フィルム１１０と、基材１３０とを、アンチグレア層３２Ｂまたは反射防止層３２Ｃと基材１３０が粘着層１４０を介して互いに接するように重ね合わせる（図１６（Ａ），（Ｂ））。なお、粘着層１４０は、基材１３０側に設けられていてもよいし、アンチグレア層３２Ｂまたは反射防止層３２Ｃ側に設けられていてもよい。その後、配向基材１００を剥離する（図１６（Ｃ））。これにより、位相差層３１およびアンチグレア層３２Ｂまたは反射防止層３２Ｃを含む光学フィルム１５０が完成する。
【００７８】
次に、光学積層体４０を製造する。具体的には、光学フィルム１５０と、偏光板２１Ｂとを、位相差層３１と偏光板２１Ｂとが粘着層４０Ａを介して互いに接するように重ね合わせる（図１７（Ａ），（Ｂ））。なお、粘着層４０Ａは、位相差層３１側に設けられていてもよいし、偏光板２１Ｂ側に設けられていてもよい。その後、基材１３０および粘着層１４０が剥離される（図１７（Ｃ））。これにより、光学積層体４０が完成する。
【００７９】
最後に、光学積層体４０と、透明基板２９とを、偏光板２１Ｂおよび透明基板２９が粘着層２０Ａを介して互いに接するように重ね合わせる（図１８（Ａ），（Ｂ））。なお、粘着層２０Ａは、偏光板２１Ｂ側に設けられていてもよいし、透明基板２９側に設けられていてもよい。このようにして、液晶表示パネル２０および位相差素子３０の積層体が完成する。
【００８０】
［第３変形例］
また、上記実施の形態およびその変形例において、例えば、図１９，図２０に示したように、基材３２Ａおよび粘着層３０Ａが省略されると共に、粘着層４０Ａの代わりに配向膜３４が設けられていてもよい。このようにした場合にも、基材３２Ａおよび粘着層３０Ａに存在する位相差の影響が全く無いので、３Ｄ特性（クロストーク）の劣化をより一層低減することができる。また、このようにした場合には、後述するように、偏光板２１Ｂの表面上に、配向膜３４、位相差層３１およびアンチグレア層３２Ｂまたは反射防止層３２Ｃを、貼り合わせ工程を経ずに形成することが可能となる。これにより、貼り合わせ工程を用いた場合と比べて、表示装置１の製造時間および製造コストを低減することができる。
【００８１】
ところで、上記の配向膜３４は、液晶などの配向性材料を特定の配向させる機能を有するものである。配向膜３４は、透明な樹脂、例えば、ＵＶ硬化型、電子線硬化型、または熱可塑性の透明樹脂によって構成されている。配向膜３４は、偏光板２１Ｂの光射出側の表面に設けられており、例えば、図２１に示したように、配向方向が互いに異なる２種類の配向領域（右目用配向領域３４Ａ，左目用配向領域３４Ｂ）を有している。右目用配向領域３４Ａおよび左目用配向領域３４Ｂは、例えば、共通する一の方向（水平方向）に延在する帯状の形状となっており、右目用配向領域３４Ａおよび左目用配向領域３４Ｂの短手方向（垂直方向）に交互に配置されている。右目用配向領域３４Ａおよび左目用配向領域３４Ｂは、液晶表示パネル２０の画素に対応して配置されており、例えば、液晶表示パネル２０の短手方向（垂直方向）の画素ピッチに対応するピッチで配置されている。
【００８２】
右目用配向領域３４Ａは、例えば、図２１に示したように、偏光板２１Ｂの偏光軸ＡＸ３と４５°で交差する方向に延在する複数の溝Ｖ１を有している。一方、左目用配向領域３４Ｂは、図２１に示したように、偏光板２１Ｂの偏光軸ＡＸ３と４５°で交差する方向であって、かつ溝Ｖ１の延在方向と直交する方向に延在する複数の溝Ｖ２を有している。溝Ｖ１，Ｖ２はそれぞれ、例えば、偏光板２１Ｂの偏光軸ＡＸ３が垂直方向または水平方向を向いている場合には斜め４５°方向に延在している。また、図示しないが、偏光板２１Ｂの偏光軸ＡＸ３が斜め４５°方向を向いている場合には、溝Ｖ１が例えば水平方向に延在しており、溝Ｖ２が例えば垂直方向に延在している。
【００８３】
各溝Ｖ１は、一の方向に直線状に延在していてもよいし、例えば、揺らぎながら（蛇行しながら）一の方向に延在していてもよい。各溝Ｖ１の断面形状は、例えばＶ字状となっている。同様に、各溝Ｖ２の断面形状も、例えばＶ字状となっている。言い換えると、右目用配向領域３４Ａおよび左目用配向領域３４Ｂ全体の断面形状は、鋸歯状となっている。その溝構造において、ピッチは小さい方が好ましく、数μｍ以下であり、さらに好ましくは数百ｎｍ以下である。このような形状は、例えば、型を用いた転写によって一括形成される。また、配向膜３４は、上記で示した溝構造によるものではなく、偏光ＵＶ照射によって形成された光配向膜であってもよい。光配向膜は、偏光ＵＶを照射したときにＵＶの偏光方向に配向する材料をあらかじめ塗布しておき、右目用配向領域３４Ａおよび左目用配向領域３４Ｂにそれぞれ異なる方向に偏光したＵＶ光を照射することにより製造可能である。
【００８４】
次に、本変形例に係る光学積層体４０の製造方法の一例について説明する。まず、偏光板２１Ｂの表面上に、配向膜３４を形成する。例えば、まず、偏光板２１Ｂの表面上に、エネルギー硬化型の透明樹脂を塗布する。次に、微細溝の延在方向が互いに異なる２種類の溝領域を有する型を、透明樹脂に押し当てた上で、透明樹脂に対してエネルギーを与えて透明樹脂を硬化させたのち、型を剥離する。このようにして、例えば、図２１に示したように、溝Ｖ１を有する右目用配向領域３４Ａと、溝Ｖ２を有する左目用配向領域３４Ｂとを有する配向膜３４を形成する。
【００８５】
次に、配向膜３４上に位相差層３３を形成する。例えば、まず、配向膜３４の表面に、液晶性モノマーを含む液晶層を、例えばロールコータなどでコーティングして形成する。このとき、液晶層には、必要に応じて、液晶性モノマーを溶解させるための溶媒、重合開始剤、重合禁止剤、界面活性剤、レベリング剤などを用いることができる。
【００８６】
続いて、配向膜３４上の液晶層の液晶性モノマーの配向処理（加熱処理）を行う。この加熱処理は、液晶性モノマーの相転移温度以上であって、特に溶媒を用いた場合には、この溶媒が乾燥する温度以上の温度で行うようにする。ここで、前工程における液晶性モノマーのコーティングによって、液晶性モノマーと配向基材との界面にずり応力が働き、流れによる配向（流動配向）や力による配向（外力配向）が生じ、液晶分子が意図しない方向に配向してしまうことがある。上記加熱処理は、このような意図しない方向に配向してしまった液晶性モノマーの配向状態を一旦キャンセルするために行われる。これにより、液晶層では、溶媒が乾燥して液晶性モノマーのみとなり、その状態は等方相となる。
【００８７】
この後、液晶層を相転移温度よりも少し低い温度まで徐冷する。これにより、液晶性モノマーは、配向膜３４の配向規制力によって配向する。例えば、液晶性モノマーが配向膜３４の表面の微細溝の延在方向に沿って配向する。続いて、配向処理後の液晶層に対して、例えばＵＶ光を照射することにより、液晶性モノマーを重合させる。これにより、液晶分子の配向状態が固定され、右目用位相差領域３１Ａおよび左目用位相差領域３１Ｂが形成される。これにより、位相差層３１が形成される。その後、位相差層３１上に、アンチグレア層３２Ｂまたは反射防止層３２Ｃを形成する。以上により、光学積層体４０が完成する（図２２（Ａ）参照）。
【００８８】
最後に、光学積層体４０と、透明基板２９とを、偏光板２１Ｂおよび透明基板２９が粘着層２０Ａを介して互いに接するように重ね合わせる（図２２（Ａ），（Ｂ））。なお、粘着層２０Ａは、偏光板２１Ｂ側に設けられていてもよいし、透明基板２９側に設けられていてもよい。このようにして、液晶表示パネル２０および位相差素子３０の積層体が完成する。
【００８９】
［第４変形例］
また、上記実施の形態およびその変形例では、液晶表示パネル２０が透過型のパネルとなっていたが、反射型のパネルとなっていてもよい。この場合には、例えば、図２３に示したように、バックライトユニット１０が省略されるとともに、透過型の液晶表示パネル２０の代わりに反射型の液晶表示パネル５０が設けられている。
【００９０】
反射型の液晶表示パネル５０は、例えば、図２４に示したように、上記実施の形態の液晶表示パネル２０において、透明基板２９と偏光板２１Ｂとの間に、λ／４波長板を設けたものである。なお、反射型の液晶表示パネル５０において、例えば、画素電極２３が光反射機能を持った金属電極で構成されていてもよい。
【００９１】
［第５変形例］
また、上記実施の形態およびその変形例では、表示装置１は、液晶表示パネル２０を備えていたが、液晶表示パネル２０の代わりに、有機ＥＬ表示パネルや、ブラウン管、プラズマ表示パネルなどの他の表示パネルを備えていてもよい。ただし、このときには、他の表示パネルと、位相差素子３０との間には、偏光板２１Ｂが設けられていることが必要である。
【００９２】
［第６変形例］
また、上記実施の形態およびその変形例では、位相差層３１は、遅相軸の向きが互いに異なる２種類の位相差領域３１Ａ，３１Ｂを有していたが、遅相軸の向きが互いに異なる３種類の位相差領域を有していてもよい。
【符号の説明】
【００９３】
１…表示装置、２…偏光眼鏡、１０…バックライトユニット、２０，５０…液晶表示パネル、２０Ａ，３０Ａ，４０Ａ，１４０…粘着層、２１Ａ，２１Ｂ，４１Ｂ，４２Ｂ…偏光板、２２，２９…透明基板、２３…画素電極、２４，２６，３４…配向膜、２５…液晶層、２７…共通電極、２８…カラーフィルタ、２８Ａ…フィルタ部、２８Ｂ…ブラックマトリクス部、３０…位相差素子、３１…位相差層、３１Ａ…右目用位相差領域、３１Ｂ…左目用位相差領域、３２…アンチグレアフィルム、３２Ａ，１３０…基材、３２Ｂ…アンチグレア層、３２Ｃ…反射防止層、３３…反射防止フィルム、３４Ａ…右目用配向領域、３４Ｂ…左目用配向領域、４０…光学積層体、４１…右目用光学素子、４１Ａ…右目用位相差板、４１Ｃ，４２Ｃ…支持体、４２…左目用光学素子、４２Ａ…左目用位相差板、５１…λ／４波長板、１００…配向基材、１１０…位相差フィルム、１５０…光学フィルム、ＡＸ１，ＡＸ２，ＡＸ４，ＡＸ５，ＡＸ６，ＡＸ７，ＡＸ８…遅相軸または偏光軸（透過軸）、Ｌｂ…境界線、Ｌ…映像光、Ｌ１…右目用画像光、Ｌ２…左目用画像光。
【図１】
2012179878.tif 000003
【図２】
2012179878.tif 000004
【図３】
2012179878.tif 000005
【図４】
2012179878.tif 000006
【図５】
2012179878.tif 000007
【図６】
2012179878.tif 000008
【図７】
2012179878.tif 000009
【図８】
2012179878.tif 000010
【図９】
2012179878.tif 000011
【図１０】
2012179878.tif 000012
【図１１】
2012179878.tif 000013
【図１２】
2012179878.tif 000014
【図１３】
2012179878.tif 000015
【図１４】
2012179878.tif 000016
【図１５】
2012179878.tif 000017
【図１６】
2012179878.tif 000018
【図１７】
2012179878.tif 000019
【図１８】
2012179878.tif 000020
【図１９】
2012179878.tif 000021
【図２０】
2012179878.tif 000022
【図２１】
2012179878.tif 000023
【図２２】
2012179878.tif 000024
【図２３】
2012179878.tif 000025
【図２４】
2012179878.tif 000026